(57)【要約】【課題】撮像するタイミングに関わらず、撮像画像として好適な被写体を含むパノラマ画像を生成すること。【解決手段】デジタルカメラ１は、パノラマ画像を合成するための複数の画像データを取得する画像取得部５２と、画像取得部５２が取得した画像データの夫々に含まれる人物の顔を検出する顔検出部５３と、顔検出部５３が検出した人物の顔の表情の判定を行う表情判定部５５と、表情判定部５５により所定値以上の評価値であると判定された人物の顔を、パノラマ画像に用いる人物の顔であると決定する表情決定部５６と、を備える。【選択図】図１
2013074572.tif 000002
【特許請求の範囲】
【請求項１】
画像を順次取得する画像取得手段と、
前記画像取得手段により取得された複数の画像から被写体像を検出する検出手段と、
前記検出手段により検出された各被写体像の評価値を算出する算出手段と、
前記算出手段により算出された評価値が所定値以上の被写体像を合成対象として決定する決定手段と、
前記決定手段により合成対象として決定された被写体像と前記取得手段により順次取得された画像とを合成し、パノラマ画像を生成する生成手段と
を備えたことを特徴とする画像処理装置。
【請求項２】
前記複数の画像のうち前記被写体像を含む画像から被写体領域を抽出する被写体抽出手段と、
前記被写体抽出手段により抽出された被写体領域を構成する画像を、前記評価値が所定値以上の被写体像に変更する被写体変更手段とを更に備え、
前記生成手段は、前記被写体変更手段により変更された被写体像と前記順次取得される画像とを合成し、前記パノラマ画像を生成することを特徴とする請求項１記載の画像処理装置。
【請求項３】
前記被写体像は、顔領域を中心とした画像であることを特徴とする請求項1又は２記載の画像処理装置。
【請求項４】
撮像手段を更に備え、
前記画像取得手段は、前記撮像手段により撮像された画像を順次取得することを特徴とする請求項１乃至３の何れか記載の画像処理装置。
【請求項５】
画像を順次取得する画像取得手段を備えた画像処理装置の画像処理方法であって、
前記画像取得手段により取得された複数の画像から被写体像を検出する検出ステップと、
前記検出ステップにより検出した各被写体像の評価値を算出する算出ステップと、
前記算出ステップにより算出した評価値が所定値以上の被写体像合成すべき被写体像として決定する決定ステップと、
前記決定ステップにより決定された被写体像と前記取得手段により順次取得された画像とを合成し、パノラマ画像を生成する生成ステップと
を含むことを特徴とする画像処理方法。
【請求項６】
画像を順次取得する画像取得手段を備えた画像処理装置を制御するコンピュータを、
前記画像取得手段により取得された複数の画像から被写体像を検出する検出手段、
前記検出機能により検出された各被写体像の評価値を算出する算出手段、
前記算出機能により算出された評価値が所定値以上の被写体像を合成対象の被写体像として決定する決定手段、
前記決定手段により決定された被写体像と前記取得手段により順次取得された画像とを合成し、パノラマ画像を生成する生成手段
として機能させることを特徴とするプログラム。
【発明の詳細な説明】
【技術分野】
【０００１】
本発明は、広角画像を生成可能な画像処理装置、画像処理方法及びプログラムに関する。
【背景技術】
【０００２】
デジタルカメラや、撮像機能を有する携帯電話等においては、撮像画角の限界はレンズの焦点距離、撮像素子のサイズ等、装置本体が備えるハードスペックに依存している。
したがって、ハードスペックを超えるような広角画像、例えばいわゆるパノラマ画像を得るための技術のひとつとして、パノラマ撮像が従来から知られている。
【０００３】
上述のパノラマ撮像を実現するためには、ユーザは、例えば、シャッタスイッチを押下操作した状態を維持しながら、自身の体を軸にして、デジタルカメラを垂直方向にほぼ固定したまま水平方向に回転させるように移動させる。
すると、デジタルカメラは、その間に複数回の撮像処理を実行し、当該複数回の撮像処理の各々の結果得られた複数の画像（以下、「撮像画像」と呼ぶ）の画像データを横方向（水平方向）に合成することによって、パノラマ画像の画像データを生成する。
特許文献１には、複数回の撮像処理のたびに撮像画像における特徴点を検出し、隣接する２枚の撮像画像の特徴点同士が一致するように、複数の撮像画像の画像データを横方向に合成することによって、パノラマ画像の画像データを生成する手法が開示されている。
【先行技術文献】
【特許文献】
【０００４】
【特許文献１】特開平１１−２８２１００号公報
【発明の概要】
【発明が解決しようとする課題】
【０００５】
しかしながら、上記特許文献でもパノラマ画像としては背景が重要視されており、パノラマ画像に人物等の被写体が含まれる場合に、当該人物の映り栄えについては重要視されていなかったという問題がある。
【０００６】
本発明は、このような問題に鑑みてなされたものであり、撮像するタイミングに関わらず、撮像画像として好適な被写体を含むパノラマ画像を生成可能な画像処理装置、画像処理方法及びプログラムを提供することを目的とする。
【課題を解決するための手段】
【０００７】
上記目的を達成するため、本発明の一態様の画像処理装置は、画像を順次取得する画像取得手段と、前記画像取得手段により取得された複数の画像から被写体像を検出する検出手段と、前記検出手段により検出された各被写体像の評価値を算出する算出手段と、前記算出手段により算出された評価値が所定値以上の被写体像を合成対象として決定する決定手段と、前記決定手段により合成対象として決定された被写体像と前記取得手段により順次取得された画像とを合成し、パノラマ画像を生成する生成手段とを備えたことを特徴とする。
【発明の効果】
【０００８】
本発明によれば、撮像するタイミングに関わらず、撮像画像として好適な被写体を含む広角画像を生成することができる。
【図面の簡単な説明】
【０００９】
【図１】本発明に係る撮像装置の一実施形態としてのデジタルカメラのハードウェア構成を示すブロック図である。
【図２】図１のデジタルカメラが、撮像処理を実行するための機能的構成を示す機能ブロック図である。
【図３】図２のデジタルカメラの動作モードとして、通常撮像モードとパノラマ撮像モードとが夫々選択された場合における撮像操作を説明する図である。
【図４】図３に示すパノラマ撮像モードによって生成されるパノラマ画像の一例を示す図である。
【図５】パノラマ画像の合成に用いられる画像データ及び当該画像データから生成されるパノラマ画像の画像データの一例を示す図である。
【図６】図２のデジタルカメラが実行する撮像処理の流れの一例を示すフローチャートである。
【図７】図６の撮像処理のうち、パノラマ撮像処理の詳細な流れを示すフローチャートである。
【図８】図７のパノラマ撮像処理のうち、表情判定処理の詳細な流れを示すフローチャートである。
【図９】図７のパノラマ撮像処理のうち、画像合成処理の詳細な流れを示すフローチャートである。
【発明を実施するための形態】
【００１０】
以下、図面を参照して、本発明に係る実施形態について説明する。
図１は、本発明に係る画像処理装置の一実施形態としてのデジタルカメラ１のハードウェア構成を示すブロック図である。
デジタルカメラ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、光学系１５と、撮像部１６と、画像処理部１７と、記憶部１８と、表示部１９と、操作部２０と、通信部２１と、角速度センサ２２と、ドライブ２３と、を備えている。
【００１１】
ＣＰＵ１１は、ＲＯＭ１２に記憶されているプログラム、又は記憶部１８からＲＡＭ１３にロードされたプログラムに従って、各種の処理を実行する。ＲＯＭ１２は、ＣＰＵ１１が各種の処理を実行するためのプログラムに加え、ＣＰＵ１１が各種の処理を実行する上において必要なデータ等を適宜記憶している。
【００１２】
例えば、本実施形態では、後述する図２の画像制御部５１乃至合成部５８の各機能を実現するプログラムが、ＲＯＭ１２や記憶部１８に記憶されている。したがって、ＣＰＵ１１が、これらのプログラムに従った処理を実行し、後述する画像処理部１７と適宜協働することで、後述する図２の画像制御部５１乃至合成部５８の各機能を実現することができる。
【００１３】
ＣＰＵ１１、ＲＯＭ１２、及びＲＡＭ１３は、バス１４を介して相互に接続されている。このバス１４にはまた、光学系１５、撮像部１６、画像処理部１７、記憶部１８、表示部１９、操作部２０、通信部２１、角速度センサ２２、及びドライブ２３が接続されている。
【００１４】
光学系１５は、被写体を撮影するために、光を集光するレンズ、例えばフォーカスレンズやズームレンズ等で構成される。フォーカスレンズは、撮像部１６の撮像素子の受光面に被写体像を結像させるレンズである。ズームレンズは、焦点距離を一定の範囲で自在に変化させるレンズである。光学系１５にはまた、必要に応じて、焦点や、露出等を調整する周辺装置が設けられる。
【００１５】
撮像部１６は、光電変換素子やＡＦＥ（Ａｎａｌｏｇ  Ｆｒｏｎｔ  Ｅｎｄ）等から構成されている。光電変換素子は、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子から構成される。光電変換素子は、一定時間毎に、その間に入射されて蓄積された被写体像の光信号を光電変換（撮像）して、その結果得られるアナログの電気信号をＡＦＥに順次供給する。
ＡＦＥは、当該アナログの電気信号に対して、Ａ／Ｄ（Ａｎａｌｏｇ／Ｄｉｇｉｔａｌ）変換処理等の各種信号処理を施し、その結果得られるデジタル信号を、撮像部１６の出力信号として出力する。
なお、以下、撮像部１６の出力信号を、「撮像画像の画像データ」と呼ぶ。したがって、撮像部１６からは撮像画像の画像データが出力されて、画像処理部１７等に適宜供給される。
【００１６】
画像処理部１７は、ＤＳＰ（Ｄｉｇｉｔａｌ  Ｓｉｇｎａｌ  Ｐｒｏｃｅｓｓｏｒ）や、ＶＲＡＭ（Ｖｉｄｅｏ  Ｒａｎｄｏｍ  Ａｃｃｅｓｓ  Ｍｅｍｏｒｙ）等から構成されている。
画像処理部１７は、ＣＰＵ１１と協働して、撮像部１６から入力される撮像画像の画像データに対して、ノイズ低減、ホワイトバランス、手ぶれ補正等の画像処理の他、後述する画像取得部５２乃至合成部５８の各機能の発揮に必要な各種画像処理を施す。
ここで、以下、特に断りのない限り、「画像データ」とは、撮像部１６から一定時間毎に出力される撮像画像の画像データ、又は、当該画像データが加工等されたものを呼ぶ。即ち、本実施形態では、当該画像データが処理単位として採用されている。
【００１７】
記憶部１８は、ＤＲＡＭ（Ｄｙｎａｍｉｃ  Ｒａｎｄｏｍ  Ａｃｃｅｓｓ  Ｍｅｍｏｒｙ）等で構成され、画像処理部１７から出力された画像データや、後述するパノラマ途中画像の画像データ等を一時的に記憶する。また、記憶部１８は、各種画像処理に必要な各種データ等も記憶する。
【００１８】
表示部１９は、例えばＬＣＤ（Ｌｉｑｕｉｄ  Ｃｒｙｓｔａｌ  Ｄｅｖｉｃｅ：液晶表示装置）やＬＣＤ駆動部からなるフラット・ディスプレイ・パネルとして構成されている。表示部１９は、記憶部１８等から供給される画像データにより表現される画像、例えば後述するライブビュー画像を画像データ単位で表示する。
【００１９】
操作部２０は、シャッタスイッチ４１の他、図示はしないが、電源スイッチ、撮像モードスイッチ、再生スイッチ等の複数のスイッチを有している。操作部２０は、これらの複数のスイッチのうち所定のスイッチが押下操作されると、当該所定のスイッチに割り当てられている指令をＣＰＵ１１に供給する。
【００２０】
通信部２１は、インターネットを含むネットワークを介する、図示せぬ他の装置との間の通信を制御する。
【００２１】
角速度センサ２２は、ジャイロ等からなり、パノラマ撮像時のユーザの体を軸にした回転に伴う、デジタルカメラ１の水平方向の変位量を検出し、検出結果を示すデジタル信号（以下、単に「角度変位量」と呼ぶ）をＣＰＵ１１に供給する。なお、角速度センサ２２は、必要に応じて方位センサの機能も発揮するものとする。
【００２２】
ドライブ２３には、磁気ディスク、光ディスク、光磁気ディスク、或いは半導体メモリ等よりなるリムーバブルメディア３１が適宜装着される。そして、リムーバブルメディア３１から読み出されたプログラムが、必要に応じて記憶部１８にインストールされる。また、リムーバブルメディア３１は、記憶部１８に記憶されている画像データ等の各種データも、記憶部１８と同様に記憶することができる。
【００２３】
図２は、図１のデジタルカメラ１が実行する処理のうち、被写体を撮像し、その結果得られる撮像画像の画像データをリムーバブルメディア３１に記録するまでの一連の処理（以下、「撮像処理」と呼ぶ）を実行するための機能的構成を示す機能ブロック図である。
【００２４】
図２に示すように、撮像処理が実行される場合には、ＣＰＵ１１においては画像制御部５１が機能し、画像処理部１７においては、画像取得部５２と、顔検出部５３と、顔領域抽出部５４と、表情判定部５５と、表情決定部５６と、表情変更部５７と、合成部５８と、が機能する。なお、画像制御部５１の機能は、本実施形態のようにＣＰＵ１１に搭載されている必要は特になく、当該機能を、画像処理部１７に移譲させることも可能である。逆に、画像取得部５２乃至合成部５８の各機能は、本実施形態のように画像処理部１７に搭載されている必要は特になく、これらの機能のうち少なくとも一部を、ＣＰＵ１１に移譲させることも可能である。
【００２５】
画像制御部５１は、撮像処理の実行全体を制御する。例えば、画像制御部５１は、デジタルカメラ１の動作モードとして、通常撮像モードと、パノラマ撮像モードとを選択的に切り替えて、切り替え後の動作モードに従った処理を実行する。パノラマ撮像モードになると、画像取得部５２乃至合成部５８が、画像制御部５１の制御の下で動作する。
【００２６】
ここで、画像制御部５１乃至合成部５８の理解を容易にすべく、それらの機能的構成の説明の前に、図３及び図４を適宜参照して、パノラマ撮像モードについて詳しく説明する。
【００２７】
図３は、図１のデジタルカメラ１の動作モードとして、通常撮像モードとパノラマ撮像モードとが夫々選択された場合における撮像操作を説明する図である。詳細には、図３（Ａ）は、通常撮像モードでの撮像操作を説明する図である。図３（Ｂ）は、パノラマ撮像モードでの撮像操作を説明する図である。
【００２８】
図３（Ａ）及び図３（Ｂ）の夫々において、デジタルカメラ１の奥にある絵は、デジタルカメラ１の被写体を含む実世界の様子を示している。また、図３（Ｂ）に示す縦の点線は、デジタルカメラ１の移動方向の各位置ａ、ｂ、ｃを示している。デジタルカメラ１の移動方向とは、ユーザが、自身の体を軸にしてデジタルカメラ１の撮像方向（角度）を変化させた場合における、デジタルカメラ１の光軸が移動する方向をいう。デジタルカメラ１の移動方向の変位量は、角速度センサ２２により角度変位量として検出される。
【００２９】
通常撮像モードとは、デジタルカメラ１の画角に対応するサイズ（解像度）の画像を、撮像する場合の動作モードをいう。
通常撮像モードでは、図３（Ａ）に示すように、ユーザは、デジタルカメラ１を固定させた状態で、操作部２０のシャッタスイッチ４１を下限まで押下する。なお、このように、シャッタスイッチ４１を下限まで押下する操作を、以下、「全押し操作」又は単に「全押し」と呼ぶ。
画像制御部５１は、全押し操作がなされた直後に画像処理部１７から出力された画像データを、記録対象としてリムーバブルメディア３１に記録させるまでの一連の処理の実行を制御する。
以下、このように、通常撮像モードにおいて画像制御部５１の制御により実行される一連の処理を、「通常撮像処理」と呼ぶ。
【００３０】
一方、パノラマ撮像モードとは、パノラマ画像を撮像する場合の動作モードをいう。
パノラマ撮像モードでは、図３（Ｂ）に示すように、ユーザは、シャッタスイッチ４１の全押し操作を維持した状態で、デジタルカメラ１を同図中黒矢印の方向に移動させる。
画像制御部５１は、全押し操作が維持されている間、画像取得部５２乃至合成部５８を制御して、角速度センサ２２からの角度変位量が一定値に達する毎に、その直後に撮像部１６から出力された画像データを取得するとともに記憶部１８に一時的に記憶していくことを繰り返す。
その後、画像制御部５１は、画像取得部５２乃至合成部５８を制御して、記憶部１８に記憶された隣接する画像データ同士を、水平方向に順番に合成することによって、パノラマ画像の画像データを生成する。ここで、隣接する画像データとは、パノラマ撮像中に、Ｋ回目（Ｋは１以上の整数値）の撮像により得られた撮像画像の画像データと、同パノラマ撮像中に、Ｋ＋１回目の撮像により得られた撮像画像の画像データとをいう。なお、画像データの合成については、隣接する２つの画像データの合成に限られず、合成対象となる２以上の任意の数の画像データを取得するたびに行うこととしてもよく、合成対象となる全ての画像データを取得した後に行うこととしてもよい。
その後、ユーザが全押し操作を解除する操作、即ちシャッタスイッチ４１から指等を離す操作（以下、このような操作を「リリース操作」と呼ぶ）をすることで、パノラマ撮像の終了を指示すると、画像制御部５１は、合成部５８等を制御して、パノラマ画像の画像データを、記録対象としてリムーバブルメディア３１に記録させる。
このように、画像制御部５１は、パノラマ撮像モードにおいて、画像取得部５２乃至合成部５８を制御して、パノラマ画像の画像データを生成し、それを記録対象としてリムーバブルメディア３１に記録させるまでの一連の処理を制御する。
以下、このように、パノラマ撮像モードにおいて画像制御部５１の制御により実行される一連の処理を「パノラマ撮像処理」と呼ぶ。
【００３１】
図４は、図３に示すパノラマ撮像モードにおいて、画像取得部５２乃至合成部５８により生成されたパノラマ画像の画像データを示している。
即ち、パノラマ撮像モードにおいて、図３（Ｂ）に示すような撮像操作が行われると、画像制御部５１の制御の下、画像取得部５２乃至合成部５８により、図４に示すようなパノラマ画像Ｐ１の画像データが生成され、リムーバブルメディア３１に記録される。
【００３２】
ここで、パノラマ撮像モードにおいて人物等の被写体を含むパノラマ画像の画像データを生成する場合、合成元の複数の画像データの夫々において被写体が異なることがあり、このような場合には、最も栄える被写体を含むパノラマ画像の画像データを生成することが好ましい。具体的には、パノラマ画像の合成元の複数の画像データの夫々において、ある画像データでは人物が目をつむっていて、別の画像データでは人物が目を開けている場合があり、このような場合には、目を開けている人物を含むパノラマ画像の画像データを生成することが好ましい。
そのため、本実施形態に係るデジタルカメラ１では、画像取得部５２乃至合成部５８は、画像制御部５１の制御の下、次のような処理を実行する。
【００３３】
画像取得部５２は、デジタルカメラ１が所定量だけ移動する毎に（角度変位量が一定値になる毎）に、画像制御部５１から発行される取得指令を受けて、画像処理部１７から画像データを順次取得する。
【００３４】
顔検出部５３は、画像取得部５２が取得した画像データを解析し、当該画像データに含まれる人物の顔の情報（顔部分の位置及び大きさを少なくとも含む）を検出する。なお、顔検出部５３による顔の検出は、既に公知な任意の方法により行うことができる。
顔領域抽出部５４は、顔検出部５３が顔を検出した画像データから、顔領域を抽出する。なお、抽出する顔領域としては、合成処理において好適な任意の領域を設定することができ、例えば、目・鼻・口を含む顔部分の領域としてもよく、顔部分と頭部分とを含む領域としてもよく、画像データに含まれる人物の全てを含む領域としてもよい。
【００３５】
表情判定部５５は、顔検出部５３が検出した顔の表情判定を行う。表情判定は、撮像画像として好適な人物の表情（笑顔）を判定するためのものであり、例えば、目の大きさや口の形状等に対して予めスコアを定めておき、顔検出部５３が検出した顔を当該スコアで評価し、判定対象の顔の評価値を算出することで実行する。
表情決定部５６は、表情判定部５５が算出した評価値が所定値以上の顔を、合成対象の顔として決定し、決定した顔を含む顔領域の画像データをメモリ（本実施形態では記憶部１８）に格納する。なお、表情決定部５６は、算出した評価値が最も高い顔を合成対象の顔として決定することとしてもよい。また、所定値以上の評価値については、任意に設定することができ、例えば、笑顔となる評価値を設定しておくことができる。
【００３６】
表情変更部５７は、表情判定部５５が算出した評価値が所定値未満の顔を含む顔領域の画像データを、表情決定部５６が合成対象として決定した顔を含む顔領域の画像データに変更する。
合成部５８は、画像取得部５２が取得した画像データのうち隣接する画像データ同士を合成し、パノラマ画像の画像データを生成する。具体的には、合成部５８は、画像取得部５２が取得した画像データであって、表情変更部５７による顔領域の変更後の画像データのうち隣接する画像データ同士を合成し、パノラマ画像の画像データを生成する。換言すると、合成部５８は、画像取得部５２が取得した複数の画像データに含まれる人物の顔のうち、表情決定部５６が決定した顔を用いてパノラマ画像の画像データを生成するのと等価な処理を実行する。
【００３７】
以上のような、画像取得部５２乃至合成部５８により生成されるパノラマ画像の画像データについて、図５を参照して説明する。図５（１）は、パノラマ画像の合成に用いられる画像取得部５２により取得された画像データを示し、図５（２）は、図５（１）の画像データから生成されるパノラマ画像の画像データを示す。
【００３８】
図５（１）を参照して、画像取得部５２により撮像画像Ｆａの画像データが取得されると、顔検出部５３は、撮像画像Ｆａから被写体の顔１００を検出する。続いて、顔領域抽出部５４は、顔１００を検出した撮像画像Ｆａから顔領域１００ａを抽出する。なお、顔領域１００ａについては、任意の領域とすることができ、例えば、顔１００のみの領域としてもよく、図５に示すように顔１００と頭（髪）とを併せた領域としてもよく、撮像画像Ｆａに含まれる人物の全ての領域としてもよい。
続いて、表情判定部５５は、撮像画像Ｆａの顔１００について、目の大きさや口の形状等から評価値を算出する。図５（１）では、顔１００は、笑顔であり目も大きく開いているため、表情判定部５５は、所定値以上の評価値を算出する。そのため、表情決定部５６は、顔１００をパノラマ画像に用いる顔として決定し、顔１００の顔領域１００ａの部分の画像データを記憶部１８に格納する。
【００３９】
同様に、撮像画像Ｆａの画像データの後に連続して撮像画像Ｆｂの画像データが画像取得部５２により取得されると、顔検出部５３は、撮像画像Ｆｂから被写体の顔１１０を検出し、顔領域抽出部５４は、顔１１０を検出した撮像画像Ｆｂの画像データから顔領域１１０ａを抽出する。
続いて、表情判定部５５は、撮像画像Ｆｂの顔１１０について、評価値を算出するが、図５（１）では、顔１１０は、目を閉じてしまっているため、表情判定部５５は、所定値未満の評価値を算出する。そのため、表情変更部５７は、顔１１０の顔領域１１ａの部分の画像データを、記憶部１８に格納していた顔１００の顔領域１００ａの部分の画像データに変更する。
【００４０】
その後、合成部５８は、撮像画像Ｆａ及び撮像画像Ｆｂを含む複数の撮像画像の夫々の画像データを順次合成することで、図５（２）に示すパノラマ画像Ｐ２の画像データを生成する。このとき、表情決定部５６により決定された顔１００の顔領域１００ａを用いてパノラマ画像Ｐ２を生成するため、図５（２）に示すように、より写真栄えする被写体を含むパノラマ画像Ｐ２を得ることができる。
【００４１】
以上、図２乃至図５を参照して、本発明が適用されるデジタルカメラ１の機能的構成について説明した。次に、図６を参照して、このような機能的構成を有するデジタルカメラ１が実行する撮像処理について説明する。
【００４２】
図６は、撮像処理の流れの一例を示すフローチャートである。本実施形態では、撮像処理は、デジタルカメラ１の図示せぬ電源がオン状態になって、所定の条件が満たされると開始する。
【００４３】
ステップＳ１において、図２の画像制御部５１は、操作検出処理及び初期設定処理を実行する。
操作検出処理とは、操作部２０の各スイッチの状態を検出する処理をいう。画像制御部５１は、操作検出処理を実行することにより、動作モードとして、通常撮像モードが設定されているのか、それともパノラマ撮像モードが設定されているのかを検出することができる。
また、本実施形態の初期設定処理の１つとして、角度変位量の一定値と、角度変位量の最大限界である角度変位閾値（例えば、３６０度）とを設定する処理が採用されている。具体的には、角度変位量の一定値と、角度変位量の最大限界である角度変位閾値（例えば、３６０度）とは、図１のＲＯＭ１２に予め記憶されており、ＲＯＭ１２から読み出されてＲＡＭ１３に書き込まれることで設定される。なお、角度変位量の一定値は、後述する図７のステップＳ３１の判定処理で用いられる。一方、角度変位量の最大限界である角度変位閾値（例えば、３６０度）は、同図のステップＳ３７の判定処理で用いられる。
【００４４】
ステップＳ２において、画像制御部５１は、ライブビュー撮像処理及びライブビュー表示処理を開始する。
即ち、画像制御部５１は、撮像部１６等を制御して、撮像部１６による撮像動作を継続させる。そして、画像制御部５１は、撮像部１６による撮像動作が継続されている間、当該撮像部１６から順次出力される画像データを、メモリ（本実施形態では記憶部１８）に一時的に記憶させる。このような画像制御部５１による一連の制御処理が、ここでいう「ライブビュー撮像処理」である。
また、画像制御部５１は、ライブビュー撮像時にメモリ（本実施形態では記憶部１８）に一時的に記録された各画像データを順次読み出して、各々に対応する画像を表示部１９に順次表示させる。このような画像制御部５１による一連の制御処理が、ここでいう「ライブビュー表示処理」である。なお、ライブビュー表示処理により表示部１９に表示されている画像を、以下、「ライブビュー画像」と呼ぶ。
【００４５】
ステップＳ３において、画像制御部５１は、シャッタスイッチ４１が半押しされたか否かを判定する。ここで、半押しとは、操作部２０のシャッタスイッチ４１の途中（下限に至らない所定の位置）まで押下する操作をいい、以下、「半押し操作」とも適宜呼ぶ。
シャッタスイッチ４１が半押しされていない場合、ステップＳ３においてＮＯであると判定されて、処理はステップＳ９に進む。
【００４６】
ステップＳ９において、画像制御部５１は、処理の終了指示がなされたか否かを判別する。処理の終了指示は、特に限定されないが、本実施形態では、デジタルカメラ１の図示せぬ電源がオフ状態になった旨の通知が採用されているものとする。
したがって、本実施形態では電源がオフ状態になりその旨が画像制御部５１に通知されると、ステップＳ９においてＹＥＳであると判定されて、撮像処理全体が終了となる。
これに対して、電源がオン状態の場合には、電源がオフ状態になった旨の通知はなされないので、ステップＳ９においてＮＯであると判定され、処理はステップＳ２に戻され、それ以降の処理が繰り返される。即ち、本実施形態では電源がオン状態を維持している限り、シャッタスイッチ４１が半押しされるまでの間、ステップＳ３：ＮＯ及びステップＳ９：ＮＯのループ処理が繰り返し実行されて、撮像処理は待機状態となる。
【００４７】
他方、ライブビュー表示処理中に、シャッタスイッチ４１が半押しされると、ステップＳ３においてＹＥＳであると判定されて、処理はステップＳ４に進む。
ステップＳ４において、画像制御部５１は、撮像部１６を制御して、いわゆるＡＦ（Ａｕｔｏ  Ｆｏｃｕｓ）処理を実行する。
【００４８】
ステップＳ５において、画像制御部５１は、シャッタスイッチ４１が全押しされたか否かを判定する。
シャッタスイッチ４１が全押しされない場合には、ステップＳ５においてＮＯであると判定される。この場合には、処理はステップＳ４に戻され、それ以降の処理が繰り返される。即ち、本実施形態では、シャッタスイッチ４１が全押しされるまでの間、ステップＳ４、及びステップＳ５：ＮＯのループ処理が繰り返し実行されて、ＡＦ処理がその都度実行される。
【００４９】
その後、シャッタスイッチ４１が全押しされると、ステップＳ５においてＹＥＳであると判定されて、処理はステップＳ６に進む。ステップＳ６において、画像制御部５１は、現在設定されている撮像モードがパノラマ撮像モードであるか否かを判定する。
パノラマ撮像モードでない場合、即ち通常撮像モードが現在設定されている場合、ステップＳ６においてＮＯであると判定され、処理はステップＳ７に進む。ステップＳ７において、画像制御部５１は、上述した通常撮像処理を実行する。即ち、全押し操作がなされた直後に画像処理部１７から出力された１つの画像データが、記録対象としてリムーバブルメディア３１に記録される。これにより、ステップＳ７の通常撮像処理が終了して、処理はステップＳ９に進む。なお、ステップＳ９以降の処理については上述したので、ここではその説明は省略する。
【００５０】
これに対して、パノラマ撮像モードが現在設定されている場合、ステップＳ６においてＹＥＳであると判定されて、処理はステップＳ８に進む。
ステップＳ８において、画像制御部５１は、上述したパノラマ撮像処理を実行する。パノラマ撮像処理の詳細については図７を参照して後述するが、画像制御部５１は、パノラマ画像の画像データを生成し、記録対象としてリムーバブルメディア３１に記録する。これにより、ステップＳ８のパノラマ撮像処理が終了し、処理はステップＳ９に進む。なお、ステップＳ９以降の処理については上述したので、ここではその説明は省略する。
【００５１】
以上、図６を参照して、撮像処理の流れについて説明した。次に、図７を参照して、図６の撮像処理のうち、ステップＳ８のパノラマ撮像処理の詳細な流れについて説明する。
図７は、パノラマ撮像処理の詳細な流れを説明するフローチャートである。上述したように、パノラマ撮像モードの状態でシャッタスイッチ４１が全押しされると、図６のステップＳ５及びＳ６においてＹＥＳと判定され、処理はステップＳ８に進み、パノラマ撮像処理として次のような処理が実行される。
【００５２】
ステップＳ３１において、画像制御部５１は、デジタルカメラ１が一定距離動いたか否かを判定する。即ち、画像制御部５１は、角速度センサ２２から供給される角度変位量が一定値に達したか否かを判定する。
デジタルカメラ１が一定距離動いていない場合、ステップＳ３１においてＮＯであると判定される。この場合には、処理はステップＳ３１に戻される。即ち、デジタルカメラ１が一定距離動くまでパノラマ撮像処理が待機状態となる。
【００５３】
これに対して、デジタルカメラ１が一定距離動いた場合、ステップＳ３１において、ＹＥＳであると判定されて、処理はステップＳ３２に進む。
ステップＳ３２において、画像取得部５２は、画像制御部５１の制御の下、撮像部１６から出力される画像データ（合成対象）を取得する。即ち、画像取得部５２は、角速度センサ２２から供給される角度変位量が一定値に達する毎に、その直後に撮像部１６から出力された画像データを取得する。
【００５４】
ステップＳ３３において、顔検出部５３は、画像制御部５１の制御の下、画像取得部５２が取得した画像データを解析し、当該画像データに人物の顔（被写体像）が存在するか否かを判定する。
画像データに人物の顔が存在しない場合、ステップＳ３３においてＮＯであると判定され、この場合には、処理はステップＳ３５に進む。
【００５５】
他方、画像データに人物の顔が存在する場合、ステップＳ３３においてＹＥＳであると判定され、この場合には、処理はステップＳ３４に進む。
ステップＳ３４において、画像制御部５１は、表情判定処理を行う。表情判定処理の詳細については図８を参照して後述するが、画像制御部５１は、表情判定部５５を制御し、画像データに含まれる顔の表情を判定する。これにより、ステップＳ３４の表情判定処理が終了し、処理はステップＳ３５に進む。
【００５６】
ステップＳ３５において、画像制御部５１は、画像合成処理を行う。画像合成処理の詳細については図９を参照して後述するが、画像制御部５１は、合成部５８を制御し、隣接する画像データ同士を順次合成し、パノラマ画像の画像データを生成する。これにより、ステップＳ３５の画像合成処理が終了し、処理はステップＳ３６に移る。
【００５７】
ステップＳ３６において、画像制御部５１は、ユーザによる終了指示があるか否かを判定する。ユーザによる終了指示については、任意に設定することができるが、例えば、ユーザによるシャッタスイッチ４１の全押しの解除を、ユーザによる終了指示とすることができる。
ユーザによる終了指示があった場合、ステップＳ３６においてＹＥＳであると判定され、パノラマ撮像処理が終了する。
【００５８】
他方、ユーザによる終了指示がない場合、ステップＳ３６においてＮＯであると判定され、この場合には、処理はステップＳ３７に進む。
ステップＳ３７において、画像制御部５１は、画像取得方向の移動距離が閾値を超えたか否かを判定する。即ち、画像制御部５１は、角速度センサ２２から供給される角度変位量の累積値が、最大限界である角度変位閾値（例えば、３６０度）に達したか否かを判定する。
【００５９】
画像取得方向の移動距離が閾値を超えた場合、ステップＳ３７においてＹＥＳであると判定され、パノラマ撮像処理が終了する。
他方、画像取得方向の移動距離が閾値を超えていない場合、ステップＳ３７においてＮＯであると判定され、この場合には、処理はステップＳ３１に戻される。即ち、ユーザによる終了指示がなく、画像取得方向の移動距離が閾値を超えていない場合には、パノラマ撮像処理が継続し、新たな画像データの取得及び当該画像データの合成といった処理が繰り返される。
【００６０】
以上、図７を参照して、パノラマ撮像処理の流れについて説明した。次に、図８を参照して、図７のパノラマ撮像処理のうち、ステップＳ３４の表情判定処理の詳細な流れについて説明する。図８は、表情判定処理の詳細な流れを説明するフローチャートである。
【００６１】
ステップＳ５１において、顔領域抽出部５４は、画像制御部５１の制御の下、人物の顔を含む画像データから、顔領域を抽出する。なお、顔領域については、上述したように、目・鼻・口を含む顔部分のみの領域としてもよく、また、顔部分と頭部分とを含む領域としてもよく、また、人物全てを含む領域としてもよい。
【００６２】
顔領域を抽出すると、ステップＳ５２において、表情判定部５５は、画像制御部５１の制御の下、顔検出部５３により検出された顔の評価値を算出する。即ち、表情判定部５５は、画像データに含まれる顔の目の大きさや口の形状等に基づいて、判定対象の顔の評価値を算出する。
その後、ステップＳ５３において、表情判定部５５は、画像制御部５１の制御の下、算出した評価値が所定値以上であるか否かを判定する。
算出した評価値が所定値以上でない場合、ステップＳ５３においてＮＯとである判定され、表情判定処理が終了する。
【００６３】
他方、算出した評価値が所定値以上である場合、ステップＳ５３においてＹＥＳであると判定され、この場合には、処理はステップＳ５４に進む。
ステップＳ５４において、表情決定部５６は、画像制御部５１の制御の下、所定値以上の評価値と判定された顔の顔領域の部分の画像データを記憶部１８に保存し、表情判定処理を終了する。
【００６４】
以上、図８を参照して、表情判定処理の流れについて説明した。
次に、図９を参照して、図７のパノラマ撮像処理のうち、ステップＳ３５の画像合成処理の詳細な流れについて説明する。図９は、画像合成処理の詳細な流れを説明するフローチャートである。
【００６５】
ステップＳ７１において、画像制御部５１は、合成対象となる隣接する画像データにおいて、被写体に動きがあるか否かを判定する。ここで、本実施形態では、評価値が所定値未満である顔領域の部分の画像データを評価値が所定値以上である顔領域の部分の画像データに上書きすることとしている（後述のステップＳ７５）。そのため、ステップＳ７１における被写体の動きとは、顔領域の画像データの上書きに適さない動きをいい、例えば、顔領域の形状が変化するような動きや画角内における顔領域の位置（角度変位量を考慮した）が変化するような動き等をいう。他方、顔領域内における被写体の動き、例えば、目を閉じる等といった表情の変化は、ステップＳ７１における被写体の動きに含まれない。
被写体に動きがある場合、ステップＳ７１においてＹＥＳであると判定され、この場合には、処理はステップＳ７６に進む。
【００６６】
他方、被写体に動きがない場合、ステップＳ７２においてＮＯであると判定され、この場合には、処理はステップＳ７２に進む。
ステップＳ７２において、画像制御部５１は、合成する画像データに顔領域が存在するか否かを判定する。なお、本実施形態において、合成する画像データとは、隣接する画像データのうちの後に取得された画像データとしてもよく、また、隣接する画像データの双方としてもよい。
合成する画像データに顔領域が存在しない場合、ステップＳ７２においてＮＯであると判定され、この場合には、処理はステップＳ７６に進む。
【００６７】
合成する画像データに顔領域が存在する場合、ステップＳ７２においてＹＥＳであると判定され、この場合には、処理はステップＳ７３に進む。
ステップＳ７３において、表情判定部５５は、画像制御部５１の制御の下、合成する画像データの顔領域の評価値が所定値以上であるか否かを判定する。
合成する画像データの顔領域の評価値が所定値以上である場合、ステップＳ７３においてＹＥＳであると判定され、この場合には、処理はステップＳ７６に進む。
【００６８】
他方、合成する画像データの顔領域の評価値が所定値以上でない場合、ステップＳ７３においてＮＯであると判定され、この場合には、処理はステップＳ７４に進む。
ステップＳ７４において、表情変更部５７は、画像制御部５１の制御の下、所定値以上の評価値の顔領域の部分の画像データが記憶部１８に保存されているか否かを判定する。
所定値以上の評価値の顔領域の部分の画像データが記憶部１８に保存されていない場合、ステップＳ７４においてＮＯであると判定され、この場合には、処理はステップＳ７６に進む。
【００６９】
他方、所定値以上の評価値の顔領域の部分の画像データが記憶部１８に保存されている場合、ステップＳ７４においてＹＥＳであると判定され、この場合には、処理はステップＳ７５に進む。
ステップＳ７５において、表情変更部５７は、画像制御部５１の制御の下、ステップＳ７３において所定値未満の評価値と判定された顔領域の部分の画像データを、記憶部１８に保存されている所定値以上の評価値の顔領域の部分の画像データに上書きする。
【００７０】
その後、ステップＳ７６において、合成部５８は、画像制御部５１の制御の下、隣接する画像データ同士を合成し、パノラマ画像の画像データを生成し、画像合成処理を終了する。
【００７１】
以上のような本実施形態のデジタルカメラ１によれば、顔検出部５３が画像データに含まれる人物の顔を検出すると、表情判定部５５は、当該顔の表情判定を行う。そして、表情決定部５６は、表情判定部５５による表情判定の結果、撮像画像として好適な顔を合成対象の人物の顔として決定し、合成部５８は、決定された人物の顔を含むようにパノラマ合成を行う。
これにより、パノラマ画像の撮像中に被写体である人物の表情が変わってしまった場合、例えば、パノラマ画像の撮像中に目を閉じてしまった場合であっても、目を閉じてしまったタイミングではなく、目を開けているタイミングで撮像された画像データを用いてパノラマ画像の画像データを生成することができ、好適な表情の人物を含むパノラマ画像を得ることができる。
【００７２】
また、デジタルカメラ１では、顔領域抽出部５４は、合成対象の画像データから人物の顔を含む顔領域を抽出し、表情決定部５６は、撮像画像として好適な顔を含む顔領域の部分の画像データを記憶部１８に保存しておく。そして、表情変更部５７は、合成する画像データに含まれる顔が撮像画像として好ましくない場合には、当該顔領域を記憶部１８に保存していた顔領域の部分の画像データに上書きした上で、パノラマ合成を行う。
これにより、撮像画像として好ましくない顔と好適な顔とを合成してしまうことを防止でき、自然なパノラマ合成を行うことができる。
【００７３】
なお、本発明は、上述の実施形態に限定されるものではなく、本発明の目的を達成できる範囲での変形、改良等は本発明に含まれるものである。
【００７４】
例えば、上述の実施形態では、１つの画像データを取得するたびに画像合成処理を行うこととしているが（図７のステップＳ３１でＹＥＳと判定されるとステップＳ３５が行われる）、これに限られるものではなく、パノラマ合成用の全ての画像データを取得した後に画像合成処理を行うこととしてもよく、２以上の任意の数の画像データを取得するたびに画像合成処理を行うこととしてもよい。
また、上述の実施形態では、顔領域の上書き後にパノラマ合成をしたが、画像合成処理の順はこれに限られない。つまり、パノラマ合成をした後に該当する顔領域の上書きを行っても良い。
【００７５】
また、上述の実施形態では、評価値を用いて人物の顔の表情を判定し、撮像画像として好適な顔でパノラマ合成を行うこととしているが、評価値を用いて判定する対象は、表情に限られない。例えば、パノラマ画像の撮像中に人物に陰がかかってしまう場合等も想定され、評価値を用いて人物の明るさ等を判定することとしてもよい。
また、上述の実施形態では、合成対象の画像データに含まれる被写体像の一例として人物の顔を用いているが、これに限られるものではない。例えば、動物の顔を合成対象の画像データに含まれる被写体像としても良い。この場合、評価値を用いて判定する対象としては、動物が目をつぶっているか否か等を適用しても良い。
【００７６】
また、上述の実施形態では、本発明が適用される画像処理装置は、デジタルカメラ１を例として説明したが、特にこれに限定されない。本発明は、パノラマ画像の生成が可能になる機能を有する電子機器一般に適用することができ、例えば、携帯型パーソナルコンピュータ、携帯型ナビゲーション装置、ポータブルゲーム機等に幅広く適用可能である。
【００７７】
上述した一連の処理は、ハードウェアにより実行させることもできるし、ソフトウェアにより実行させることもできる。
【００７８】
一連の処理をソフトウェアにより実行させる場合には、そのソフトウェアを構成するプログラムが、画像処理装置又は当該画像処理装置を制御するコンピュータ等にネットワークや記録媒体からインストールされる。ここで、コンピュータは、専用のハードウェアに組み込まれているコンピュータであってもよい。或いはまた、コンピュータは、各種のプログラムをインストールすることで、各種の機能を実行することが可能なコンピュータ、例えば汎用のパーソナルコンピュータであってもよい。
【００７９】
このようなプログラムを含む記録媒体は、ユーザにプログラムを提供するために装置本体とは別に配布されるリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、光磁気ディスク等により構成される。また、装置本体に予め組み込まれた状態でユーザに提供される記録媒体は、例えば、プログラムが記録されているＲＯＭ１２や記憶部１８に含まれるハードディスク等で構成される。
【００８０】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００８１】
以上、本発明のいくつかの実施形態について説明したが、これらの実施形態は、例示に過ぎず、本発明の技術的範囲を限定するものではない。本発明はその他の様々な実施形態を取ることが可能であり、更に、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００８２】
以下に、本願の出願当初の特許請求の範囲に記載された発明を付記する。
［付記１］
画像を順次取得する画像取得手段と、
前記画像取得手段により取得された複数の画像から被写体像を検出する検出手段と、
前記検出手段により検出された各被写体像の評価値を算出する算出手段と、
前記算出手段により算出された評価値が所定値以上の被写体像を合成対象として決定する決定手段と、
前記決定手段により合成対象として決定された被写体像と前記取得手段により順次取得された画像とを合成し、パノラマ画像を生成する生成手段と
を備えたことを特徴とする画像処理装置。
［付記２］
前記複数の画像のうち前記被写体像を含む画像から被写体領域を抽出する被写体抽出手段と、
前記被写体抽出手段により抽出された被写体領域を構成する画像を、前記評価値が所定値以上の被写体像に変更する被写体変更手段とを更に備え、
前記生成手段は、前記被写体変更手段により変更された被写体像と前記順次取得される画像とを合成し、前記パノラマ画像を生成することを特徴とする付記１記載の画像処理装置。
［付記３］
前記被写体像は、顔領域を中心とした画像であることを特徴とする付記１又は２記載の画像処理装置。
［付記４］
撮像手段を更に備え、
前記画像取得手段は、前記撮像手段により撮像された画像を順次取得することを特徴とする付記１乃至３の何れか記載の画像処理装置。
［付記５］
画像を順次取得する画像取得手段を備えた画像処理装置の画像処理方法であって、
前記画像取得手段により取得された複数の画像から被写体像を検出する検出ステップと、
前記検出ステップにより検出した各被写体像の評価値を算出する算出ステップと、
前記算出ステップにより算出した評価値が所定値以上の被写体像合成すべき被写体像として決定する決定ステップと、
前記決定ステップにより決定された被写体像と前記取得手段により順次取得された画像とを合成し、パノラマ画像を生成する生成ステップと
を含むことを特徴とする画像処理方法。
［付記６］
画像を順次取得する画像取得手段を備えた画像処理装置を制御するコンピュータを、
前記画像取得手段により取得された複数の画像から被写体像を検出する検出手段、
前記検出機能により検出された各被写体像の評価値を算出する算出手段、
前記算出機能により算出された評価値が所定値以上の被写体像を合成対象の被写体像として決定する決定手段、
前記決定手段により決定された被写体像と前記取得手段により順次取得された画像とを合成し、パノラマ画像を生成する生成手段
として機能させることを特徴とするプログラム。
【符号の説明】
【００８３】
１・・・デジタルカメラ（画像処理装置）、１１・・・ＣＰＵ（制御手段）、１２・・・ＲＯＭ、１３・・・ＲＡＭ、１５・・・光学系、１６・・・撮像部、１７・・・画像処理部（画像取得手段、生成手段、検出手段、算出手段、決定手段、被写体抽出手段、被写体変更手段）、１８・・・記憶部、１９・・・表示部、２０・・・操作部、２１・・通信部、２２・・・角速度センサ、２３・・・ドライブ、３１・・・リムーバブルメディア、４１・・・シャッタスイッチ、５１・・・撮像制御部（制御手段）、５２・・・画像取得部（画像取得手段）、５３・・・顔検出部（検出手段）、５４・・・顔領域抽出部（被写体抽出手段）、５５・・・表情判定部（算出手段）、５６・・・表情決定部（決定手段）、５７・・・表情変更手段（被写体変更手段）、５８・・・合成部（生成手段）
【図１】
2013074572.tif 000003
【図２】
2013074572.tif 000004
【図３】
2013074572.tif 000005
【図４】
2013074572.tif 000006
【図５】
2013074572.tif 000007
【図６】
2013074572.tif 000008
【図７】
2013074572.tif 000009
【図８】
2013074572.tif 000010
【図９】
2013074572.tif 000011